(57)【要約】【課題】オフサイトの各種の防災の関係データに知識が乏しい点検員でも容易に点検作業をすることができ、蓄積されたデータベースから最適で効率的な点検作業を提示できる緊急防災設備点検支援装置を提供することである。【解決手段】緊急防災に必要な緊急防災データを送信する複数のサイト１１から緊急防災データを受信し防災対策をとるオフサイト１２の各緊急防災設備１３に設けられたＩＣタグ１４と、ＩＣタグで各緊急防災設備を識別して点検員による各緊急防災設備の緊急点検データを収集する緊急点検データ収集装置１５と、緊急点検データ収集装置１５で収集した緊急点検データを記憶するとともに効率的な点検設備機器、点検項目、点検順序を算出して点検効率化データとして記憶する緊急点検データサーバ装置１６とを備える。【選択図】  図１
2008310615.tif 000002
【特許請求の範囲】
【請求項１】
緊急防災に必要な緊急防災データを送信する複数のサイトと、各々のサイトから緊急防災データを受信し防災対策をとるオフサイトとからなる緊急防災システムの前記オフサイトの各緊急防災設備に設けられたＩＣタグと、ＩＣタグで各緊急防災設備を識別して点検員による各緊急防災設備の緊急点検データを収集する緊急点検データ収集装置と、前記緊急点検データ収集装置で収集した緊急点検データを記憶するとともに効率的な点検設備機器、点検項目、点検順序を算出して点検効率化データとして記憶する緊急点検データサーバ装置とを備えたことを特徴とする緊急防災設備点検支援装置。
【請求項２】
前記緊急点検データサーバ装置は、前記緊急防災データと前記点検効率化データとの相関関係を算出して、より効率的な点検設備機器、点検項目、点検順序を演算し、緊急点検効率化データとして記憶することを特徴とする請求項１記載の緊急防災設備点検支援装置。
【請求項３】
緊急防災データを模擬し各緊急防災設備に送信する緊急防災データ模擬装置を設け、緊急防災データ模擬装置により、不規則な事象あるいは緊急防災データの一部欠落を模擬し、前記緊急点検データサーバ装置は、模擬状態での前記緊急点検データ収集装置で収集した緊急点検データを記憶するとともに効率的な点検設備機器、点検項目、点検順序を算出して点検効率化データとして記憶することを特徴とする請求項１記載の緊急防災設備点検支援装置。
【請求項４】
前記緊急点検データサーバ装置は、前記緊急防災データ模擬装置で模擬された前記緊急防災データと前記点検効率化データとの相関関係を算出して、より効率的な点検設備機器、点検項目、点検順序を演算し、模擬緊急点検効率化データとして記憶することを特徴とする請求項３記載の緊急防災設備点検支援装置。
【請求項５】
各々のサイトの前記緊急点検データサーバ装置に構築されたデータベースを一元管理するマスター緊急事態応急対策センタを設けたことを特徴とする請求項１ないし４のいずれか一記載の緊急防災設備点検支援装置。
【請求項６】
緊急防災に必要な緊急防災データを送信する複数のサイトと、各々のサイトから緊急防災データを受信し防災対策をとるオフサイトとからなる緊急防災システムの前記オフサイトは、緊急防災データを処理し支援業務を行う複数の業務サーバと、その業務管理を専用に行う専用端末と、複数の業務システムにアクセスし緊急時に必要な業務を行う共用端末とを有し、前記業務サーバ、前記専用端末及び前記共用端末の動作確認を自動的かつ自律的に行うための機能確認作業機能モジュールを備えた点検機能確認作業自動装置を備えたことを特徴とする緊急防災設備点検支援装置。
【請求項７】
前記点検機能確認作業自動装置は、前記業務サーバ、専用端末及び前記共用端末の点検動作確認を行うにあたり、ＧＵＩ操作を行わせる機能モジュールを配信し、相互接続動作の管理を行うこと特徴とする請求項６記載の緊急防災設備点検支援装置。
【請求項８】
前記共用端末は共用端末同志で点検機能確認作業結果情報を相互に照合し合う機能と、照合情報に基づき業務サーバ、専用端末及び共用端末の異常状態を推測及び予測する機能とを備えたことを特徴とする請求項６記載の緊急防災設備点検支援装置。
【発明の詳細な説明】
【技術分野】
【０００１】
本発明は、複数のサイトから緊急防災データをオフサイトで受信し、オフサイトで防災対策をとる緊急防災システムの緊急防災設備点検支援装置に関する。
【背景技術】
【０００２】
近年、防災に対する関心が高まり、電気事業者の訓練はもちろん国が主催する自治体、電気事業者、住民、他が参加しての防災訓練も頻繁に実施されるようになってきた。また、複数のサイトから緊急防災データをオフサイトで受信し、オフサイトで防災対策をとる緊急防災システムも設置されている。
【０００３】
緊急防災システムのオフサイトでは、緊急時（有事の際）にオフサイトの緊急防災設備が健全に動作することが必要であることから、その緊急防災設備に対する定期点検が定期的に行われている。
【０００４】
防災対応システムとして、異なる防災対策組織間の情報の共有を図り、シナリオ外の事象についても的確に防災訓練を行うことができるようにしたものがある（例えば、特許文献１参照）。また、意思決定を支援する目的を失うことなく、合理的または個人レベルにて行える原子力災害対策訓練を支援することができるようにしたものもある（例えば、特許文献２参照）。
【特許文献１】特開２００４−２９５７２９号公報
【特許文献２】特開２００３−２１６０１７号公報
【発明の開示】
【発明が解決しようとする課題】
【０００５】
しかしながら、緊急防災設備に対する定期点検方法が統一されておらず、他の地区にあるオフサイトの設備や機器に対して水平展開的に点検効率化情報や異常情報共有がなされていない。また、緊急防災設備を効率的かつ迅速にミスのないように点検する手順が確立されていない。すなわち、点検情報及び異常情報の水平展開が上手くいっていないので、緊急防災設備の点検データを迅速にデータ検索したり、設備劣化による設備の更新推奨を適切に行うことができない。
【０００６】
本発明の目的は、オフサイトの各種の防災の関係データに知識が乏しい点検員でも容易に点検作業をすることができ、蓄積されたデータベースから最適で効率的な点検作業を提示できる緊急防災設備点検支援装置を提供することである。
【課題を解決するための手段】
【０００７】
本発明の緊急防災設備点検支援装置は、緊急防災に必要な緊急防災データを送信する複数のサイトと、各々のサイトから緊急防災データを受信し防災対策をとるオフサイトとからなる緊急防災システムの前記オフサイトの各緊急防災設備に設けられたＩＣタグと、ＩＣタグで各緊急防災設備を識別して点検員による各緊急防災設備の緊急点検データを収集する緊急点検データ収集装置と、前記緊急点検データ収集装置で収集した緊急点検データを記憶するとともに効率的な点検設備機器、点検項目、点検順序を算出して点検効率化データとして記憶する緊急点検データサーバ装置とを備えたことを特徴とする。
【発明の効果】
【０００８】
本発明によれば、オフサイトの各種の防災の関係データに知識が乏しい点検員でも容易に点検作業をすることができ、蓄積されたデータベースから最適で効率的な点検作業を提示できる。
【発明を実施するための最良の形態】
【０００９】
（第１の実施の形態）
図１は本発明の第１の実施の形態に係わる緊急防災設備点検支援装置を緊急防災システムのオフサイトに適用したブロック構成図である。複数のサイト１１ａ〜１１ｎは、例えば、発電所、自治体、気象庁などであり、これらサイト１１ａ〜１１ｎから緊急防災に必要な緊急防災データがオフサイト（緊急事態応急対策拠点施設）１２に送信される。緊急防災データは、例えば、発電所のプラントデータ、自治体の放射線観測データ、国の放射線拡散予測データ、自治体の住民／施設データ、自治体の病院／警察データ、避難場所のデータ、交通情報データ（道路・鉄道）、気象データ、その他のデータなどである。
【００１０】
オフサイト１２は、各々のサイト１１ａ〜１１ｎからの緊急防災データを受信し、防災対策をとるところであり、例えば、警察班、避難班、消防班、自治体班、放射線予測班、電力会社班などの各種班ごとに情報分析して、方針決定室で防災対策を決定するようになっている。
【００１１】
また、オフサイト１２には緊急防災設備１３が設置されている。緊急防災設備１３は、放射線監視システム設備１３ａ、緊急事態策支援システム設備１３ｂ、放射線影響予測システム設備１３ｃ、避難地域特定システム装置１３ｄ、一斉連絡システム装置１３ｅ、映像表示システム設備１３ｆ、ＴＶ会議システム設備１３ｍ等であり、この緊急防災設備１３の各々の設備には、設備の器具や装置を識別するためのＩＣタグ１４がそれぞれ設けられている。
【００１２】
緊急点検データ収集装置１５は、各緊急防災設備１３の緊急点検データを収集するものであり、点検員は緊急点検データ収集装置１５を携帯して緊急防災設備１３のＩＣタグ１４にアクセスすることにより、各緊急防災設備１３を識別して各緊急防災設備１３の緊急点検データを収集する。緊急点検データ収集装置１５で収集された緊急点検データは、緊急点検データサーバ装置１６に入力され、緊急点検データサーバ装置１６に記憶される。また、緊急点検データサーバ装置１６は、収集された緊急点検データに基づいて、効率的な点検設備機器、点検項目、点検順序を算出して点検効率化データとして記憶する。
【００１３】
図２は本発明の第１の実施の形態における緊急点検データサーバ装置１６の構成図である。緊急点検データサーバ装置１６は、収集した緊急点検データを点検データベース１７、点検時間データベース１８、機器使用頻度データベース１９に記憶し、点検効率化手段２０は、収集した緊急点検データに基づいて、効率的な点検設備機器、点検項目、点検順序を算出して点検効率化データベース２１に記憶する。そして、点検効率化検索手段２２は点検効率化データベース２１に記憶された点検効率化データを検索するものである。
【００１４】
次に、動作を説明する。緊急性が高い緊急防災設備１３が設置されているオフサイト１２では、各種の緊急防災データ、例えば発電所のプラントデータ、自治体の放射線観測データ、自治体の住民／施設／病院データ、交通情報、気象情報等の緊急防災データをオフサイトにある緊急性が高い緊急防災設備１３で受信して、それぞれの役割の防災機能を活用する。
【００１５】
その緊急性が高い緊急防災設備１３の重要な部位にはＩＣタグ１４のような設備認識・設備情報マークが設置されている。従って、点検員が入り込めなかったり、危険を伴うような場所等の部位に対しても、その部位の位置情報や設備・機器点検データ情報を緊急点検データ収集装置１５を使用して容易に収集することが可能となる。
【００１６】
緊急点検データ収集装置１５で収集された緊急点検データは、緊急点検データサーバ装置１６にダウンロードされ、それぞれの点検データベース１７、点検時間データベース１８、機器使用頻度データベース１９に格納される。点検効率化手段２０は、緊急点検データに基づいて、過去の蓄積されたデータを元に特性要因図、マトリクス重要度評価、パレート図、散布図、相関解析（例えば緊急設備の点検データと使用頻度や故障発生の相関を算出し高ければ点検回数を増やしたり点検順序を変えたり点検項目を見直してみる）等の統計的な処理を行い、点検効率化データベース２１に格納する。
【００１７】
また、点検効率化検索手段２２では、たとえば機器名、部位名、使用頻度などのキーワードで検索処理をすることが可能であり、その結果は直接現場作業している点検員の緊急点検データ収集装置１５へ送信したり、緊急点検データサーバ装置１６のデータベースに記憶させたり、図示省略の出力装置からも出力が可能である。
【００１８】
第１の実施の形態によれば、緊急性が高い緊急防災設備１３が設置されているオフサイト１２の各種の防災関係データを知識が乏しい点検員でも容易に点検作業をすることができる。また、蓄積されたデータベースから最適で効率的な点検作業を行うことも可能となる。
【００１９】
（第２の実施の形態）
図３は本発明の第２の実施の形態における緊急点検データサーバ装置１６の構成図である。この第２の実施の形態は、図２に示した第１の実施の形態における緊急点検データサーバ装置１６に対し、緊急点検効率化手段２３及び緊急点検効率化データベース２４を追加して設けたものである。
【００２０】
図３において、緊急点検データサーバ装置１６の緊急点検効率化手段２３は、緊急防災データと点検効率化データとの相関関係を算出して、より効率的な点検設備機器、点検項目、点検順序を演算し、緊急点検効率化データとして緊急点検効率化データベース２４に記憶する。
【００２１】
すなわち、緊急点検効率化手段２３は、緊急点検データサーバ装置１６の点検データベース１７、点検時間データベース１８、機器使用頻度データベース１９に格納されたデータと、点検効率化手段２０で統計処理され点検効率化データベース２１に格納された両データを取り出し、より効率的な点検設備機器、点検項目、点検順序を演算する。つまり、現場で点検員が収集する部位の位置情報や設備・機器点検データ情報の生データと、点検効率化データベース２１のデータとを使用して、相関関係等の処理により、より点検に関する緊急性が高い点検設備・機器やその点検項目、点検順序、より緊急性が高いシステムの機能確認作業を算出する。そして、緊急点検効率化データベース２４に記憶する。
【００２２】
点検効率化検索手段２２は点検効率化データベース２１のデータ検索だけでなく、緊急点検効率化データベース２４のデータ検索も行う。これにより、点検効率化検索手段２２だけで、より緊急性が高いデータを処理できる。
【００２３】
点検効率化検索手段２２では、キーワード検索処理をすることが可能であり、その結果は直接現場作業している点検員の緊急点検データ収集装置１５へ送信したり、緊急点検データサーバ装置１６のデータベースに記憶させたり、図示省略の出力装置からも出力できる。
【００２４】
第２の実施の形態によれば、第１の実施の形態の効果に加え、より高度で緊急性が高い緊急防災設備１３の点検支援が可能となる。
【００２５】
（第３の実施の形態）
図４は本発明の第３の実施の形態に係わる緊急防災設備点検支援装置を緊急防災システムのオフサイトに適用したブロック構成図である。この第３の実施の形態は、図１に示した第１の実施の形態に対し、緊急防災データ模擬装置２５を設け、緊急防災データ模擬装置２５で緊急防災データを模擬してオフサイト１２の各緊急防災設備１３に模擬データを送信するようにしたものである。
【００２６】
図４において、緊急防災データ模擬装置２５は、不規則な事象あるいは緊急防災データの一部欠落を模擬して、その模擬データをオフサイト１２に送信する。オフサイト１２では、各緊急防災設備１３はその模擬データに従って動作する。オフサイト１２の緊急点検データサーバ装置１６は、模擬状態での緊急点検データ収集装置１５で収集した緊急点検データを記憶するとともに、効率的な点検設備機器、点検項目、点検順序を算出して点検効率化データとして記憶する。
【００２７】
すなわち、緊急防災データ模擬装置２５は緊急性が高い緊急防災設備１３の模擬的な事象を発生させて、機器・システムの挙動をシミュレーションしたり、緊急性が高い緊急防災設備１３の機能データ・点検データヘの影響度を再現する。また、緊急防災データ模擬装置２５は、ある緊急防災設備１３を停止しておいたり、ある緊急防災設備１３は起動しておいたりして、不規則な事象（ある機器故障が発生したことを想定）や、全防災データが揃わなくても緊急時点検・機能確認ができる状態も模擬する。
【００２８】
第３の実施の形態によれば、想定外の緊急事象が発生した場合や実現が困難な緊急事態でも、緊急防災データ模擬装置２５でシミュレーションし、高度な緊急防災設備機器１３の維持管理を行うことが可能となる。
【００２９】
（第４の実施の形態）
図５は本発明の第４の実施の形態における緊急点検データサーバ装置１６の構成図である。この第４の実施の形態は、図３に示した第２の実施の形態における緊急点検データサーバ装置１６に対し、模擬点検効率化データベース２６、模擬点検データベース２７、模擬点検時間データベース２８、模擬機器使用頻度データベース２９を追加して設けたものである。つまり、図４に示した第３の実施の形態における緊急防災データ模擬装置２５で模擬した緊急防災データに対して、模擬点検データベース２７、模擬点検時間データベース２８、模擬機器使用頻度データベース２９に記憶し、これらの模擬データに対する模擬点検効率化データを模擬点検効率化データベース２６に記憶するようにしたものである。図３と同一要素には同一符号を付し重複する説明は省略する。
【００３０】
図５において、緊急点検データサーバ装置１６の模擬点検データベース２７、模擬点検時間データベース２８、模擬機器使用頻度データベース２９には、緊急防災データ模擬装置２５で模擬された緊急防災データを記憶する。緊急点検効率化手段２３は模擬緊急防災データと点検効率化データベース２１の点検効率化データとの相関関係を算出して、より効率的な点検設備機器、点検項目、点検順序を演算し、模擬緊急点検効率化データとして模擬緊急点検効率化データベース２６に記憶する。
【００３１】
すなわち、緊急防災データ模擬装置２５で実現できる想定外の緊急事象発生ケースや実現が困難な緊急事態のケースの模擬事象を作成し、緊急点検データ収集装置１５により現場で点検員が収集する部位の位置情報や設備・機器点検データ情報の模擬生データを求め、これらのデータに基づいて緊急点検効率化手段２３は効率化処理を実行する。これにより、緊急事象の模擬データを使っての効率的な緊急時及び定期点検設備機器・緊急時及び定期点検項目・緊急時及び定期点検順序データを演算し、模擬点検効率化データベース２６に格納する。
【００３２】
一方、点検効率化検索手段２２はキーワード検索処理をすることが可能であり、その結果は直接現場作業している点検員の緊急点検データ収集装置１５へ送信したり、緊急点検データサーバ装置１６の模擬データベースに記憶させたり、図示省略の出力装置から検索結果を出力する。また、緊急点検効率化データベース２４に格納されるデータと模擬生データを一緒に点検効率化検索手段２２で効率化処理をすることで、模擬データと効率化データとをミックスさせた処理結果を出力することもできる。
【００３３】
第３の実施の形態によれば、想定外の緊急事象が発生した場合や実現が困難な緊急事態の模擬防災データから効率的な緊急設備機器に対する点検情報を提供できる。また、過去の効率化された情報と模擬結果情報をミックスさせたシミュレーションが可能となる。
【００３４】
（第５の実施の形態）
図６は本発明の第５の実施の形態に係わる緊急防災設備点検支援装置のブロック構成図である。この第５の実施の形態は、第１の実施の形態乃至第４の実施の形態にいずれかに対し、各々のサイトの緊急点検データサーバ装置１６に構築されたデータベースを一元管理するマスター緊急事態応急対策センタ３０を設けたものである。
【００３５】
図６において、マスター緊急事態応急対策センタ３０は各種点検効率化データ配信手段３１を有し、各種点検効率化データ配信手段３１は、各々のサイト１２の点検効率化データベース１６、緊急点検効率化データベース２４、模擬点検効率化データベース２６からインターネット３２を介してデータを取得し一元管理する。また、必要に応じて、一元管理している各々のサイト１２の点検効率化データベース１６、緊急点検効率化データベース２４、模擬点検効率化データベース２６のデータをインターネット３２を介して、類似の緊急防災設備１３が納入されている別のオフサイト１２に水平展開的に自動配信する。
【００３６】
第５の実施の形態によれば、マスター緊急事態応急対策センタ３０を設置してデータを一元管理するので、緊急防災設備１３の設備に対する各種の効率化施策を迅速に水平展開することが可能となり、緊急時への対応がよりスピード化される。
【００３７】
（第６の実施の形態）
図７は本発明の第６の実施の形態に係わる緊急防災設備点検支援装置におけるオフサイトの構成図である。図７において、オフサイト１２は、緊急防災データを処理し支援業務を行う複数の業務サーバ３３と、その業務管理を専用に行う複数の専用端末３４と、複数の業務システム３３にアクセスし緊急時に必要な業務を行う複数の共用端末３５とを有し、また、業務サーバ３３、専用端末３４及び共用端末３５の動作確認を自動的かつ自律的に行うための機能確認作業機能モジュールを備えた点検機能確認作業自動装置３６を備え、ネットワーク網３７を介して他防災施設３８に接続されている。
【００３８】
図７において、緊急防準時に防災支援を行うためのオフサイト１２の施設内には、複数の防災支援業務用サーバ（業務サーバ）３３、その業務を専用に行う専用端末３４、当該施設内に置かれ、複数の業務サーバ３３にアクセスすることができる複数の共用端末３５が設置されている。また、緊急防災時には自防災施設と関連する他防災施設３８との間で、情報通信連携を行うためにネットワーク網３７を介して他防災施設３８と接続されている。かかる環境において、これら緊急防災設備の緊急時点検／定期点検・機能確認作業を行うために、点検機能確認作業自動装置３６が当該システム環境に接続される。
【００３９】
図８は点検機能確認作業自動装置３６の内部構成図である。点検機能確認作業自動装置３６内には、当該緊急時点検／定期点検・機能確認作業に必要となるデータを格納したデータベースと、ソフトウェアモジュールから成っている。データベースは、端末・サーバ基本データベース３９、成績・保守データベース４０、緊急時点検／定期点検・機能確認データ４１からなり、ソフトウェアモジュールは、緊急時点検／定期点検・機能確認作業管理モジュール４２ａ、４２ｂからなる。
【００４０】
端末・サーバ基本データベース３９には、緊急時点検／定期点検・機能確認作業対象となる業務サーバや共用端末等の基本諸元、アプリケーションやバージョン情報などが格納され、成績・保守データベース４０には、過去の緊急時点検／定期点検・機能確認作業データが格納されている。また、緊急時点検／定期点検・機能確認データ４１には、今回の緊急時点検／定期点検・機能確認作業に必要となるデータが格納されている。
【００４１】
緊急時点検／定期点検・機能確認作業管理モジュール（ＭＯＤ）４２ａ、４２ｂは、端末・サーバ基本データベース３９、成績・保守データベース４０、緊急時点検／定期点検・機能確認データ４１のデータに基づいて緊急時点検／定期点検・機能確認作業処理を各共用端末３５に実施させるために必要となる制御情報を共用端末３５に自動的かつ自律的（エージェント機能的）送信する。
【００４２】
図９は共用端末３５の説明図である。共用端末は図９に示すように、実際の緊急時点検／定期点検・機能確認作業を行う緊急時点検／定期点検・機能確認作業機能モジュール４３が搭載されており、点検機能確認作業自動装置３６からの制御送信データに基づき、予め定められた緊急時点検／定期点検・機能確認作業を自動的かつ自律的に行う。
【００４３】
図１０は第６の実施の形態におけるエージェント機能による動作の一例の説明図である。図１０では点検機能確認作業自動装置３６から１台の共用端末３５ａにアクセスした場合を示している。点検機能確認作業自動装置３６から共用端末３５ａにアクセスする（Ｓ１）。これにより、共用端末３５ａから業務サーバ３３上の業務システムヘアクセスし（Ｓ２）、業務サーバアプリケーションの正常動作を確認し（Ｓ３）、共用端末３５ａは点検機能確認作業自動装置３６にその確認結果を出力する（Ｓ４）。このような制御データが点検機能確認作業自動装置３６から共用端末３５ａに自動的かつ自律的に送信される。
【００４４】
すなわち、共用端末３５ａは点検機能確認作業自動装置３６からの指示データに基づき、共用端末３５ａ自身の動作確認を行った後に業務サーバ３３にアクセスし必要な緊急時点検／定期点検・機能確認作業を自動的かつ自律的行い、結果を整理して点検機能確認作業自動装置３６に返す。
【００４５】
図１１は第６の実施の形態におけるエージェント機能による動作の他の一例の説明図である。図１１ではすべての共用端末３５ａ〜３５ｎに同時並行的にアクセスした場合を示している。
【００４６】
点検機能確認作業自動装置３６から、オフサイト１２の施設内の共用端末３５ａ〜３５ｎに緊急時点検／定期点検・機能確認作業動作レシピ（制御データ）を送信する（Ｓ１）。この際、緊急時点検／定期点検・機能確認作業仕様に応じて各共用端末３５ａ〜３５ｎごとに異なるレシピを自動的かつ自律的に送信することも可能である。
【００４７】
各共用端末３５ａ〜３５ｎは、送信されたレシピに応じ、図１２に示すように、それぞれ必要となる業務サーバ３３へのアクセスを行い（Ｓ２）、業務サーバ３３から情報を受信する（Ｓ３）。業務サーバ３３から情報を受信すると、図１３のように、それぞれその結果指示を発した点検機能確認作業自動装置３６に返す（Ｓ４）。
【００４８】
第６の実施の形態によれば、緊急時点検／定期点検・機能確認作業対象の緊急防災設備１３内に存在するすべての共用端末に、人間系の作業を介さずに、自動的かつ自律的（エージェント機能を有する）に必要な緊急時点検／定期点検・機能確認作業動作を実施させることができ、緊急時点検／定期点検・機能確認作業の効率化を図ることが可能となる。
【００４９】
（第７の実施の形態）
図１４は本発明の第７の実施の形態に係わる緊急防災設備点検支援装置におけるオフサイトの構成図である。この第７の実施の形態は、第６の実施の形態に対し、点検機能確認作業自動装置３６は、業務サーバ３３、専用端末３４及び共用端末の点検動作確認を行うにあたり、ＧＵＩ操作を行わせる機能モジュールを配信し、相互接続動作の管理を行うようにしたものである。
【００５０】
図１４において、緊急時点検／定期点検・機能確認作業を行う自施設と相互接統して動作確認すべき他施設内には、他施設の業務サーバ４４と他施設の共用端末４５とがある。点検機能確認作業自動装置３６から自施設の共用端末３５ａと、他施設共用端末４５にそれぞれ必要な緊急時点検／定期点検・機能確認作業動作レシピを自動的かつ自律的に送信する（Ｓ１）。自施設の共用端末３５ａはその情報に基づいて他施設業務サーバ４４に、他施設共用端末４５は自施設の業務サーバ３３にアクセスし（Ｓ２）、緊急時点検／定期点検・機能確認作業処理を自動的かつ自律的に実施する。
【００５１】
なお、他施設の共用端末４５及び自施設の共用端末３５ａには、緊急時点検／定期点検・機能確認作業動作レシピに基づいてＧＵＩ業務画面を起動し、必要なキー入力及びマウス操作をソフトウェア的に自動的に行う機能と、そのアクセス結果表示やアクセスログデータなどを自動的に保存管理する機能とが装備されている。
【００５２】
キー入力やマウス操作は、点検作業開始前にあらかじめ別環境にて保守員が手作業で実施した動作処理を保存し、それを点検緊急時点検／定期点検・機能確認作業環境で自動的かつ自律的に再現させるような仕組みとすることも可能である。
【００５３】
第７の実施の形態によれば、緊急時点検／定期点検・機能確認作業においては、自施設内での動作確認だけでなく、関連する他施設の業務システムや業務端末との連携や相互接続確認も可能となる。現状では、自施設側と他施設側とに装置やシステムを熟知した点検員を配置し、人手により緊急時点検／定期点検・機能確認作業を行っているが、第７の実施の形態によれば、熟知した人員を配置することなく点検作業を行うことが可能となる。
【００５４】
（第８の実施の形態）
図１５は本発明の第８の実施の形態に係わる緊急防災設備点検支援装置におけるオフサイトの構成図である。この第８の実施の形態は、第６の実施の形態に対し、各共用端末３５ａ〜３５ｎは共用端末３５ａ〜３５ｎ同志で点検機能確認作業結果情報を相互に照合し合う機能と、照合情報に基づき業務サーバ３３、専用端末３４及び共用端末３５ａ〜３５ｎの異常状態を推測及び予測する機能とを備えたものである。
【００５５】
図１５において、共用端末３５ａ〜３５ｎは、緊急時点検／定期点検・機能確認作業動作結果を共用端末３５ａ〜３５ｎ間で相互に提供し確認し合う機能が装備されている。
【００５６】
点検機能確認作業自動装置３６から共用端末３５ａ〜３５ｎに対して、緊急時点検／定期点検・機能確認作業動作レシピが自動的かつ自律的に配信されると、各共用端末３５ａ〜３５ｎは動作を開始するが、同じ緊急時点検／定期点検・機能確認作業を複数の共用端末３５ａ〜３５ｎで同時に実施する場合に、共用端末３５ａ〜３５ｎは、緊急時点検／定期点検・機能確認作業動作結果を共用端末３５ａ〜３５ｎ間で相互に提供し確認し合う（Ｓ５）。
【００５７】
各共用端末３５ａ〜３５ｎが同じ業務サーバ３３にアクセスし期待される結果を返すことなく、すべてが異常な結果を返す場合には、当該業務サーバ３３もしくは業務アプリケーションの異常が疑われることになる。また、共用端末３５ａ〜３５ｎ中の特定の共用端末３５だけが異常結果を返す場合には、当該共用端末３５の故障が推測される。
【００５８】
第８の実施の形態によれば、緊急時点検／定期点検・機能確認作業対象の設備・機器・システムの異常を予測したり推測することができるため、点検作業の効率化を図ることが可能となる。
【図面の簡単な説明】
【００５９】
【図１】本発明の第１の実施の形態に係わる緊急防災設備点検支援装置を緊急防災システムのオフサイトに適用したブロック構成図。
【図２】本発明の第１の実施の形態における緊急点検データサーバ装置の構成図。
【図３】本発明の第２の実施の形態における緊急点検データサーバ装置の構成図。
【図４】本発明の第３の実施の形態に係わる緊急防災設備点検支援装置を緊急防災システムのオフサイトに適用したブロック構成図。
【図５】本発明の第４の実施の形態における緊急点検データサーバ装置１６の構成図。
【図６】本発明の第５の実施の形態に係わる緊急防災設備点検支援装置のブロック構成図。
【図７】本発明の第６の実施の形態に係わる緊急防災設備点検支援装置におけるオフサイトの構成図。
【図８】本発明の第６の実施の形態における点検機能確認作業自動装置の内部構成図。
【図９】本発明の第６の実施の形態における共用端末の説明図。
【図１０】本発明の第６の実施の形態におけるエージェント機能による動作の一例の説明図。
【図１１】本発明の第６の実施の形態におけるエージェント機能による動作の他の一例の説明図。
【図１２】本発明の第６の実施の形態におけるエージェント機能による動作の他の一例の説明図。
【図１３】本発明の第６の実施の形態におけるエージェント機能による動作の他の一例の説明図。
【図１４】本発明の第７の実施の形態に係わる緊急防災設備点検支援装置におけるオフサイトの構成図。
【図１５】本発明の第８の実施の形態に係わる緊急防災設備点検支援装置におけるオフサイトの構成図。
【符号の説明】
【００６０】
１１…サイト、１２…オフサイト、１３…緊急防災設備、１４…ＩＣタグ、１５…緊急点検データ収集装置、１６…緊急点検データサーバ装置、１７…点検データベース、１８…点検時間データベース、１９…機器使用頻度データベース、２０…点検効率化手段、２１…点検効率化データベース、２２…点検効率化検索手段、２３…緊急点検効率化手段、２４…緊急点検効率化データベース、２５…緊急防災データ模擬装置、２６…模擬点検効率化データベース、２７…模擬点検データベース、２８…模擬点検時間データベース、２９…模擬機器使用頻度データベース、３０…マスター緊急事態応急対策センタ、３１…各種点検効率化データ配信手段、３２…インターネット、３３…業務サーバ、３４…専用端末、３５…共用端末、３６…点検機能確認作業自動装置、３７…ネットワーク網、３８…他防災施設、３９…端末・サーバ基本データベース、４０…成績・保守データベース、４１…緊急時点検／定期点検・機能確認データ、４２…緊急時点検／定期点検・機能確認作業管理モジュール、４３…緊急時点検／定期点検・機能確認作業機能モジュール、４４…他施設業務サーバ、４５…他施設共用端末
【図１】
2008310615.tif 000003
【図２】
2008310615.tif 000004
【図３】
2008310615.tif 000005
【図４】
2008310615.tif 000006
【図５】
2008310615.tif 000007
【図６】
2008310615.tif 000008
【図７】
2008310615.tif 000009
【図８】
2008310615.tif 000010
【図９】
2008310615.tif 000011
【図１０】
2008310615.tif 000012
【図１１】
2008310615.tif 000013
【図１２】
2008310615.tif 000014
【図１３】
2008310615.tif 000015
【図１４】
2008310615.tif 000016
【図１５】
2008310615.tif 000017